(57)【要約】【課題】伸縮性の布材と非伸縮性の布材により、マットレスの挿脱作業を容易かつ迅速に出来るので作業性に優れ、マットレスに緩みなく被装できるので、使用中に皴が寄ることや捲れることも無く、褥瘡の発症を防止することができるカバー型シーツを提供する。【解決手段】伸縮性を有するシーツ本体２は、マットレスの上面覆い部と、端面覆い部２Ｂと、側面覆い部２Ｃと、下面覆い部２Ｄとからなる。非伸縮性を有する４枚の押え布３は、緯糸に平行な斜辺を含む直角三角形に成形してある。シーツ本体２の端面覆い部２Ｂに押え布３の一側辺を、下面覆い部２Ｄに他側辺を縫着して、内部にマットレス収納部を、下面側にマットレス挿脱口１Ｃを形成し、シーツ本体２の長手方向に離間して一対の押え布３を下面覆い部２Ｄに縫着して下面覆い部２Ｄの一部を伸縮可能にしてある。【選択図】図３
2013094477.tif 000002
【特許請求の範囲】
【請求項１】
平面視で３６０度方向に伸縮性を有する布材からなるシーツ本体は、マットレスの上面を覆う上面覆い部と、該上面覆い部に続いて該マットレスの長手方向両端面を覆う端面覆い部と、前記上面覆い部に続いてマットレスの横幅方向側面を覆う側面覆い部と、該側面覆い部に続いてマットレスの下面縁部を覆う下面覆い部とを一体に成形してなり、緯糸と経糸を編成することにより非伸縮性を有する布材からなる４枚の押え布の各々は、前記緯糸又は経糸に平行な斜辺と、互いに直角に交わる一側辺及び他側辺とからなる直角三角形に成形してあり、前記シーツ本体の端面覆い部に前記押え布の一側辺を縫着し、前記下面覆い部に他側辺を縫着することにより、内部にマットレス収納部を、下面側にマットレス挿脱口を形成し、かつ前記シーツ本体の長手方向に離間して前記一対の押え布を前記下面覆い部に縫着することにより、該下面覆い部の一部を伸縮可能にしてあるカバー型シーツ。
【請求項２】
先端側を重畳した状態で前記シーツ本体の端面覆い部に前記一側辺を縫着する前記一対の押え布は、重畳部分は縫合しない構成にしてあることを特徴とする請求項１記載のカバー型シーツ。
【請求項３】
前記シーツ本体の長手方向に沿って下面覆い部に前記他側辺を縫着する前記一対の押え布は、先端を約１２〜１３ｃｍ離間させて配置してあることを特徴とする請求項１記載のカバー型シーツ。
【発明の詳細な説明】
【技術分野】
【０００１】
本発明は、病院、養護施設或いは一般家庭で使用するマットレスに被装することによりマットレスの汚れを防止し、使用者に心地良い使用感を与え、かつ使用者の褥蒼発症を防止することのできるカバー型シーツに関する。
【背景技術】
【０００２】
病院や養護施設等でベッドに使用するマットレスには、汚れ防止や使用者の感触を和らげるためにシーツを被せて使用している。シーツは清潔を保つために定期的に新しいシーツと交換し、また突発的に汚れた場合にも交換を行う等、病院等では日々多くのシーツ交換作業が行われている。しかし、１枚の布からなるシーツをマットレスの４辺の下面側に敷き込み、上面に皴の無いように被装する作業を１人の看護師が行うには身体的に負担が大きく、作業効率も悪いという問題ある。他方、シーツ交換作業を２人の看護師で行うことには人件費が嵩むという問題がある。
【０００３】
そこで、シーツの裏側の各コーナーの近辺に、弾性材からなる帯状体を隣接する二辺にまたがって斜めに取り付けた敷きシーツが提案されている。この敷きシーツは、弾性帯状体２を敷布団のコーナー部に弾性による伸びを利用してはめこむだけで、簡単にしかも弾力でしっかりと取り付けることができるというものである（特許文献１）。
【０００４】
また、平面視略長方形のタオル生地又は平織生地からなり、これらの生地の少なくとも長手方向の両端部に袋状の挿入部（６、１６）を形成し、これらの挿入部（６、１６）にマットレス、敷布団等の寝具の両端部を挿入することができ、更にこれらの生地が少なくとも長手方向に伸縮自在であるマットレス、敷布団等の寝具カバーが提案されている（特許文献２）。
【特許文献１】実開平６−６１１７号公報
【特許文献２】実用新案登録第３０２７２４１号公報
【発明の開示】
【発明が解決しようとする課題】
【０００５】
しかし、特許文献１に開示の敷きシーツは、四角形のシーツの各コーナーに設けた弾性材からなる帯状体に敷布団の長手方向両端に係着するものであり、特許文献２に開示の寝具カバーは、平面視略長方形の生地の少なくとも長手方向の両端部に形成した袋状の挿入部に、マットレスや敷布団の長手方向両端部を挿入するものであって、使用中最も皴の出来易い長手方向中間部分を確実に保持する構成にはなっていない。
このため、敷きシーツも寝具カバーも、使用中に長手方向中間部分が緩んで皺が出来易いという欠点、この皺のために使用者に褥瘡が発症するという欠点があるし、分割型マットレスには使用できないという欠点がある。
【０００６】
本発明は上述した従来技術の諸欠点に鑑み、本発明者が鋭意研究してなされたもので、伸縮性の布材と非伸縮性の布材を組み合わせることで、マットレスの挿脱作業を容易かつ迅速に出来るので作業性に優れており、しかもマットレスに長手方向中間部分も含めて緩みなく被装できるので、使用中に皴が寄ったり捲れたりすることも無く、褥瘡の発症を防止することができるカバー型シーツを提供することを目的とする。
【課題を解決するための手段】
【０００７】
上述した課題を解決するための本発明を構成する手段は、平面視で３６０度方向に伸縮性を有する布材からなるシーツ本体は、マットレスの上面を覆う上面覆い部と、該上面覆い部に続いて該マットレスの長手方向両端面を覆う端面覆い部と、前記上面覆い部に続いてマットレスの横幅方向側面を覆う側面覆い部と、該側面覆い部に続いてマットレスの下面縁部を覆う下面覆い部とを一体に成形してなり、緯糸と経糸を編成することにより非伸縮性を有する布材からなる４枚の押え布の各々は、前記緯糸又は経糸に平行な斜辺と、互いに直角に交わる一側辺及び他側辺とからなる直角三角形に成形してあり、前記シーツ本体の端面覆い部に前記押え布の一側辺を縫着し、前記下面覆い部に他側辺を縫着することにより、内部にマットレス収納部を、下面側にマットレス挿脱口を形成し、かつ前記シーツ本体の長手方向に離間して前記一対の押え布を前記下面覆い部に縫着することにより、該下面覆い部の一部を伸縮可能にしたものからなる。
【０００８】
そして、先端側を重畳した状態で前記シーツ本体の端面覆い部に前記一側辺を縫着する前記一対の押え布は、重畳部分は縫合しない構成にするとよい。
【０００９】
また、前記シーツ本体の長手方向に沿って下面覆い部に前記他側辺を縫着する前記一対の押え布は、先端を約１２〜１３ｃｍ離間させて配置するとよい。
【発明の効果】
【００１０】
本発明は上述の如く構成したから、下記の諸効果を奏する。
（１）カバー型シーツは、伸縮性の布材からなるシーツ本体と非伸縮性の布材からなる押え布で構成することにより、マットレスをしっかりと包み込むことができるから使用中に皺が寄ったり捲くれたりすることがないので、褥瘡の発症を可及的に防止することができる。
（２）マットレス挿脱口はシーツ本体の下面覆い部の一部が伸長して長さ方向に大きく拡大するように構成したから、マットレスの挿脱作業を容易に、速やかに行うことができ、多数枚のシーツの交換作業を行う施設での作業負担を軽減できるし、作業時間を大幅に短縮することができる。
（３）シーツ本体に下面覆い部を設けてマットレスの下面側を包むようにしたから、ギャッジベッドでマットレスを起立させた場合でも、シーツ本体が緩んで皺になることや、捲れてマットレスが露出する事態を防止できる。
（４）先端側を重畳した状態でシーツ本体の端面覆い部に一側辺を縫着する一対の押え布は、重畳部分は縫合しないことにより、マットレスを挿脱する際にマットレス挿脱口を幅方向に大きく拡大するので、マットレスの挿脱作業を容易かつ速やかに効率よく行うことができる。
（５）一対の押え布は、シーツ本体の縦幅方向に略１２〜１３ｃｍ離間させて配設したから、マットレスの挿脱時にマットレス挿脱口は長手方向に拡開することで挿脱作業を容易かつ速やかに効率よく行うことができる。
【図面の簡単な説明】
【００１１】
【図１】本発明の実施の形態に係るカバー型シーツの外観斜視図である。
【図２】カバー型シーツの斜め上方からの透視斜視図である。
【図３】分割型マットレスに被装したカバー型シーツの下面斜視図である。
【図４】非伸縮性布材から押え布を裁断する場合の説明図である。
【図５】カバー型シーツに分割型マットレスを挿入している状態の説明図である。
【発明を実施するための形態】
【００１２】
以下、本発明の実施の形態を図面を参照しつつ詳述する。図において、１はカバー型シーツを示し、該カバー型シーツ１は例えば３個のブロック２２、２３、２４で構成する分割型マットレス２１（以下、マットレス２１と称する。）に被装して使用するもので、後述するシーツ本体２と、４枚の押え布３とにより内部にマットレス収容部１Ａを構成し、下面１Ｂに六角形のマットレス挿脱口１Ｃが形成してある。
【００１３】
２は該カバー型シーツ１を構成するシーツ本体を示す。該シーツ本体２は図１乃至図３に示すように、前記マットレス２１の横幅に対応できる横幅Ｗからなり、マットレス２１の図示しない上面２１Ａを覆う長方形の上面覆い部２Ａと、該上面覆い部２Ａに続いて長手方向両端側がマットレス２１の端面２１Ｂを覆う端面覆い部２Ｂ、２Ｂと、上面覆い部２Ａに続いてマットレス２１の横幅方向両側面２１Ｃを覆う側面覆い部２Ｃ、２Ｃと、該各側面覆い部２Ｃに続いてマットレス２１の下面縁部を覆う下面覆い部２Ｄとを一体に形成したものからになっている。
【００１４】
ここで、シーツ本体２は、平面視で３６０度の矢示イ方向に伸縮性を有する布材からなり、本実施の形態では伸縮性、軽量性、保温性、洗濯耐久性等に優れたダブルアトラストリコットを用いている。
【００１５】
３、３、・・はカバー型シーツ１を構成する４枚の押え布を示す。該各押え布３は図４に示すように、緯糸４Ａと経糸４Ｂを編成した非伸縮性の布材４を直角三角形に裁断して形成したものである。そして、各押え布３は斜辺３Ａを緯糸４Ａ（経糸４Ｂでも可。）と平行にすることで、斜辺３Ａは矢示ロ、ロ方向の長手方向に伸縮不能であり、また該斜辺３Ａに連結し、互いに直角に交わる他の一側辺（短辺）３Ｂと他側辺（長辺）３Ｃも実質的に伸縮不能である。なお、各図において、破線は縫着部を示す。
【００１６】
また、押え布３は、一側辺３Ｂの長さＬをシーツ本体２の横幅Ｗの半分以上の長さにすることで押え布３のサイズを大きくし、マットレス収容部１Ａに収容したマットレス２１を下面側から確実に押さえ込むようにしてある。
【００１７】
次に、シーツ本体２と４枚の押え布３、３、・・によるカバー型シーツ１の構成について説明する。シーツ本体２の端面覆い部２Ｂに各押え布３の一側辺３Ｂを縫着し、折込み部２Ｄに各押え布３の他側辺３Ｃを縫着してシーツ本体２の四隅に押え布３を配設することにより、シーツ本体２の下面側には４枚の押え布３、３、・・の斜辺３Ａと前記下面覆い部２Ｄとによって六角形のマットレス挿脱口１Ｃが形成してある。
【００１８】
しかも、シーツ本体２の端面覆い部２Ｂに一側辺３Ｂを縫着する一対の押え布３、３は、斜辺３Ａと一側辺３Ｂとにより挟まれる先端側３Ｄ、３Ｄが互いに重畳した状態になるが、互いに縫合しないことにより、マットレス挿脱口１Ｃが大きく開くようにしたから、マットレス２１の挿脱作業を容易に行うことができるし、かつ収納したマットレス２１を確実に押え込むことができるようになっている。
【００１９】
また、シーツ本体２の長さ方向に位置する一対の押え布３、３は、斜辺３Ａと他側辺３Ｃにより挟まれる先端３Ｅ、３Ｅを約１２〜１３ｃｍ離間させて他側辺３Ｃを下面覆い部２Ｄに縫着することにより、非伸縮性の押え布３の縫着により伸縮不能な下面覆い部２Ｄの一部を伸縮部２Ｅにしてある。この構成により、カバー型シーツ１の下面１Ｂに略六角形のマットレス挿脱口１Ｃが形成されている。そして、マットレス２１を挿脱する作業時には、伸縮部２Ｅが矢示イ、イ方向に約２０ｍ伸長し、一対の押え布３、３の先端３Ｅ、３Ｅ間が離間してマットレス挿脱口１Ｃが長手方向に拡開するので、挿脱作業を容易に行うことができ、マットレス２１を収容した後には伸縮部２Ｅは縮退することでマットレス２１を確実に保持することができる。
【００２０】
本発明において、シーツ本体２の上面覆い部２Ａ、端面覆い部２Ｂ、側面覆い部２Ｃ及び下面覆い部２Ｄは、１枚の布材で一体に形成してあるから、被装するマットレス２１の横幅に８４０ｍｍと９００ｍｍの違いがあっても対応することができる。
【００２１】
なお、本実施の形態では分割型マットレス２１を例に挙げたが、本発明のカバー型シーツは１枚のマットレスにも使用することができるものである。
【符号の説明】
【００２２】
１        カバー型シーツ
１Ａ      マットレス収容部
１Ｃ      マットレス挿脱口
２        シーツ本体
２Ａ      上面覆い部
２Ｂ      端面覆い部
２Ｃ      側面覆い部
２Ｄ      下面覆い部
２Ｅ      伸縮部
３        押え布
３Ａ      斜辺
３Ｂ      一側辺
３Ｃ      他側辺
４Ａ      緯糸
【図１】
2013094477.tif 000003
【図２】
2013094477.tif 000004
【図３】
2013094477.tif 000005
【図４】
2013094477.tif 000006
【図５】
2013094477.tif 000007
【手続補正書】
【提出日】平成23年11月2日(2011.11.2)
【手続補正１】
【補正対象書類名】明細書
【補正対象項目名】全文
【補正方法】変更
【補正の内容】
【発明の詳細な説明】
【技術分野】
【０００１】
本発明は、病院、養護施設或いは一般家庭で使用するマットレスに被装することによりマットレスの汚れを防止し、使用者に心地良い使用感を与え、かつ使用者の褥蒼発症を防止することのできるカバー型シーツに関する。
【背景技術】
【０００２】
病院や養護施設等でベッドに使用するマットレスには、汚れ防止や使用者の感触を和らげるためにシーツを被せて使用している。シーツは清潔を保つために定期的に新しいシーツと交換し、また突発的に汚れた場合にも交換を行う等、病院等では日々多くのシーツ交換作業が行われている。しかし、１枚の布からなるシーツをマットレスの４辺の下面側に敷き込み、上面に皴の無いように被装する作業を１人の看護師が行うには身体的に負担が大きく、作業効率も悪いという問題ある。他方、シーツ交換作業を２人の看護師で行うことには人件費が嵩むという問題がある。
【０００３】
そこで、シーツの裏側の各コーナーの近辺に、弾性材からなる帯状体を隣接する二辺にまたがって斜めに取り付けた敷きシーツが提案されている。この敷きシーツは、弾性帯状体２を敷布団のコーナー部に弾性による伸びを利用してはめこむだけで、簡単にしかも弾力でしっかりと取り付けることができるというものである（特許文献１）。
【０００４】
また、平面視略長方形のタオル生地又は平織生地からなり、これらの生地の少なくとも長手方向の両端部に袋状の挿入部（６、１６）を形成し、これらの挿入部（６、１６）にマットレス、敷布団等の寝具の両端部を挿入することができ、更にこれらの生地が少なくとも長手方向に伸縮自在であるマットレス、敷布団等の寝具カバーが提案されている（特許文献２）。
【先行技術文献】
【特許文献】
【０００５】
【特許文献１】実開平６−６１１７号公報
【特許文献２】実用新案登録第３０２７２４１号公報
【発明の開示】
【発明が解決しようとする課題】
【０００６】
しかし、特許文献１に開示の敷きシーツは、四角形のシーツの各コーナーに設けた弾性材からなる帯状体に敷布団の長手方向両端に係着するものであり、特許文献２に開示の寝具カバーは、平面視略長方形の生地の少なくとも長手方向の両端部に形成した袋状の挿入部に、マットレスや敷布団の長手方向両端部を挿入するものであって、使用中最も皴の出来易い長手方向中間部分を確実に保持する構成にはなっていない。
このため、敷きシーツも寝具カバーも、使用中に長手方向中間部分が緩んで皺が出来易いという欠点、この皺のために使用者に褥瘡が発症するという欠点があるし、分割型マットレスには使用できないという欠点がある。
【０００７】
本発明は上述した従来技術の諸欠点に鑑み、本発明者が鋭意研究してなされたもので、伸縮性の布材と非伸縮性の布材を組み合わせることで、マットレスの挿脱作業を容易かつ迅速に出来るので作業性に優れており、しかもマットレスに長手方向中間部分も含めて緩みなく被装できるので、使用中に皴が寄ったり捲れたりすることも無く、褥瘡の発症を防止することができるカバー型シーツを提供することを目的とする。
【課題を解決するための手段】
【０００８】
上述した課題を解決するための本発明を構成する手段は、平面視で３６０度方向に伸縮性を有する布材からなるシーツ本体は、マットレスの上面を覆う上面覆い部と、該上面覆い部に続いて該マットレスの長手方向両端面を覆う端面覆い部と、前記上面覆い部に続いてマットレスの横幅方向側面を覆う側面覆い部と、該側面覆い部に続いてマットレスの下面縁部を覆う下面覆い部とを一体に成形してなり、緯糸と経糸を編成することにより非伸縮性を有する布材からなる４枚の押え布の各々は、前記緯糸又は経糸に平行な斜辺と、互いに直角に交わる一側辺及び他側辺とからなる直角三角形に成形してあり、前記シーツ本体の端面覆い部に前記押え布の一側辺を縫着し、前記下面覆い部に他側辺を縫着することにより、内部にマットレス収納部を、下面側にマットレス挿脱口を形成し、かつ前記シーツ本体の長手方向に離間して前記一対の押え布を前記下面覆い部に縫着することにより、該下面覆い部の一部を伸縮可能にしたものからなる。
【０００９】
そして、先端側を重畳した状態で前記シーツ本体の端面覆い部に前記一側辺を縫着する前記一対の押え布は、重畳部分は縫合しない構成にするとよい。
【００１０】
また、前記シーツ本体の長手方向に沿って下面覆い部に前記他側辺を縫着する前記一対の押え布は、先端を約１２〜１３ｃｍ離間させて配置するとよい。
【発明の効果】
【００１１】
本発明は上述の如く構成したから、下記の諸効果を奏する。
（１）カバー型シーツは、伸縮性の布材からなるシーツ本体と非伸縮性の布材からなる押え布で構成することにより、マットレスをしっかりと包み込むことができるから使用中に皺が寄ったり捲くれたりすることがないので、褥瘡の発症を可及的に防止することができる。
（２）マットレス挿脱口はシーツ本体の下面覆い部の一部が伸長して長さ方向に大きく拡大するように構成したから、マットレスの挿脱作業を容易に、速やかに行うことができ、多数枚のシーツの交換作業を行う施設での作業負担を軽減できるし、作業時間を大幅に短縮することができる。
（３）シーツ本体に下面覆い部を設けてマットレスの下面側を包むようにしたから、ギャッジベッドでマットレスを起立させた場合でも、シーツ本体が緩んで皺になることや、捲れてマットレスが露出する事態を防止できる。
（４）先端側を重畳した状態でシーツ本体の端面覆い部に一側辺を縫着する一対の押え布は、重畳部分は縫合しないことにより、マットレスを挿脱する際にマットレス挿脱口を幅方向に大きく拡大するので、マットレスの挿脱作業を容易かつ速やかに効率よく行うことができる。
（５）一対の押え布は、シーツ本体の縦幅方向に略１２〜１３ｃｍ離間させて配設したから、マットレスの挿脱時にマットレス挿脱口は長手方向に拡開することで挿脱作業を容易かつ速やかに効率よく行うことができる。
【図面の簡単な説明】
【００１２】
【図１】本発明の実施の形態に係るカバー型シーツの外観斜視図である。
【図２】カバー型シーツの斜め上方からの透視斜視図である。
【図３】分割型マットレスに被装したカバー型シーツの下面斜視図である。
【図４】非伸縮性布材から押え布を裁断する場合の説明図である。
【図５】カバー型シーツに分割型マットレスを挿入している状態の説明図である。
【発明を実施するための形態】
【００１３】
以下、本発明の実施の形態を図面を参照しつつ詳述する。図において、１はカバー型シーツを示し、該カバー型シーツ１は例えば３個のブロック２２、２３、２４で構成する分割型マットレス２１（以下、マットレス２１と称する。）に被装して使用するもので、後述するシーツ本体２と、４枚の押え布３とにより内部にマットレス収容部１Ａを構成し、下面１Ｂに六角形のマットレス挿脱口１Ｃが形成してある。
【００１４】
２は該カバー型シーツ１を構成するシーツ本体を示す。該シーツ本体２は図１乃至図３に示すように、前記マットレス２１の横幅に対応できる横幅Ｗからなり、マットレス２１の図示しない上面２１Ａを覆う長方形の上面覆い部２Ａと、該上面覆い部２Ａに続いて長手方向両端側がマットレス２１の端面２１Ｂを覆う端面覆い部２Ｂ、２Ｂと、上面覆い部２Ａに続いてマットレス２１の横幅方向両側面２１Ｃを覆う側面覆い部２Ｃ、２Ｃと、該各側面覆い部２Ｃに続いてマットレス２１の下面縁部を覆う下面覆い部２Ｄとを一体に形成したものからになっている。
【００１５】
ここで、シーツ本体２は、平面視で３６０度の矢示イ方向に伸縮性を有する布材からなり、本実施の形態では伸縮性、軽量性、保温性、洗濯耐久性等に優れたダブルアトラストリコットを用いている。
【００１６】
３、３、・・はカバー型シーツ１を構成する４枚の押え布を示す。該各押え布３は図４に示すように、緯糸４Ａと経糸４Ｂを編成した非伸縮性の布材４を直角三角形に裁断して形成したものである。そして、各押え布３は斜辺３Ａを緯糸４Ａ（経糸４Ｂでも可。）と平行にすることで、斜辺３Ａは矢示ロ、ロ方向の長手方向に伸縮不能であり、また該斜辺３Ａに連結し、互いに直角に交わる他の一側辺（短辺）３Ｂと他側辺（長辺）３Ｃも実質的に伸縮不能である。なお、各図において、破線は縫着部を示す。
【００１７】
また、押え布３は、一側辺３Ｂの長さＬをシーツ本体２の横幅Ｗの半分以上の長さにすることで押え布３のサイズを大きくし、マットレス収容部１Ａに収容したマットレス２１を下面側から確実に押さえ込むようにしてある。
【００１８】
次に、シーツ本体２と４枚の押え布３、３、・・によるカバー型シーツ１の構成について説明する。シーツ本体２の端面覆い部２Ｂに各押え布３の一側辺３Ｂを縫着し、折込み部２Ｄに各押え布３の他側辺３Ｃを縫着してシーツ本体２の四隅に押え布３を配設することにより、シーツ本体２の下面側には４枚の押え布３、３、・・の斜辺３Ａと前記下面覆い部２Ｄとによって六角形のマットレス挿脱口１Ｃが形成してある。
【００１９】
しかも、シーツ本体２の端面覆い部２Ｂに一側辺３Ｂを縫着する一対の押え布３、３は、斜辺３Ａと一側辺３Ｂとにより挟まれる先端側３Ｄ、３Ｄが互いに重畳した状態になるが、互いに縫合しないことにより、マットレス挿脱口１Ｃが大きく開くようにしたから、マットレス２１の挿脱作業を容易に行うことができるし、かつ収納したマットレス２１を確実に押え込むことができるようになっている。
【００２０】
また、シーツ本体２の長さ方向に位置する一対の押え布３、３は、斜辺３Ａと他側辺３Ｃにより挟まれる先端３Ｅ、３Ｅを約１２〜１３ｃｍ離間させて他側辺３Ｃを下面覆い部２Ｄに縫着することにより、非伸縮性の押え布３の縫着により伸縮不能な下面覆い部２Ｄの一部を伸縮部２Ｅにしてある。この構成により、カバー型シーツ１の下面１Ｂに略六角形のマットレス挿脱口１Ｃが形成されている。そして、マットレス２１を挿脱する作業時には、伸縮部２Ｅが矢示イ、イ方向に約２０ｍ伸長し、一対の押え布３、３の先端３Ｅ、３Ｅ間が離間してマットレス挿脱口１Ｃが長手方向に拡開するので、挿脱作業を容易に行うことができ、マットレス２１を収容した後には伸縮部２Ｅは縮退することでマットレス２１を確実に保持することができる。
【００２１】
本発明において、シーツ本体２の上面覆い部２Ａ、端面覆い部２Ｂ、側面覆い部２Ｃ及び下面覆い部２Ｄは、１枚の布材で一体に形成してあるから、被装するマットレス２１の横幅に８４０ｍｍと９００ｍｍの違いがあっても対応することができる。
【００２２】
なお、本実施の形態では分割型マットレス２１を例に挙げたが、本発明のカバー型シーツは１枚のマットレスにも使用することができるものである。
【符号の説明】
【００２３】
１        カバー型シーツ
１Ａ      マットレス収容部
１Ｃ      マットレス挿脱口
２        シーツ本体
２Ａ      上面覆い部
２Ｂ      端面覆い部
２Ｃ      側面覆い部
２Ｄ      下面覆い部
２Ｅ      伸縮部
３        押え布
３Ａ      斜辺
３Ｂ      一側辺
３Ｃ      他側辺
４Ａ      緯糸
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
平面視で３６０度方向に伸縮性を有する布材からなるシーツ本体は、マットレスの上面を覆う上面覆い部と、該上面覆い部に続いて該マットレスの長手方向両端面を覆う端面覆い部と、前記上面覆い部に続いてマットレスの横幅方向側面を覆う側面覆い部と、該側面覆い部に続いてマットレスの下面縁部を覆う下面覆い部とを一体に成形したものからなり、緯糸と経糸を編成することにより非伸縮性を有する布材からなる４枚の押え布の各々は、前記緯糸又は経糸に平行な斜辺と、互いに直角に交わる一側辺及び他側辺とからなる直角三角形に成形したものからなり、前記マットレスの長手方向両端側の各角隅を覆う前記各一対の押え布は、先端側を互いに重畳した状態にし、かつ重畳部分は縫着しないで前記シーツ本体の端面覆い部に前記一側辺を縫着し、前記下面覆い部に他側辺を縫着することにより、内部にマットレス収納部を、下面側にマットレス挿脱口を形成し、かつ前記シーツ本体の長手方向に離間して前記一対の押え布を前記下面覆い部に縫着することにより、該下面覆い部の一部を伸縮可能にしてあるカバー型シーツ。
【請求項２】
前記シーツ本体の長手方向に沿って下面覆い部に前記他側辺を縫着する前記一対の押え布は、先端を約１２〜１３ｃｍ離間させて配置してあることを特徴とする請求項１記載のカバー型シーツ。
【手続補正２】
【補正対象書類名】明細書
【補正対象項目名】全文
【補正方法】変更
【補正の内容】
【発明の詳細な説明】
【技術分野】
【０００１】
本発明は、病院、養護施設或いは一般家庭で使用するマットレスに被装することによりマットレスの汚れを防止し、使用者に心地良い使用感を与え、かつ使用者の褥蒼発症を防止することのできるカバー型シーツに関する。
【背景技術】
【０００２】
病院や養護施設等でベッドに使用するマットレスには、汚れ防止や使用者の感触を和らげるためにシーツを被せて使用している。シーツは清潔を保つために定期的に新しいシーツと交換し、また突発的に汚れた場合にも交換を行う等、病院等では日々多くのシーツ交換作業が行われている。しかし、１枚の布からなるシーツをマットレスの４辺の下面側に敷き込み、上面に皴の無いように被装する作業を１人の看護師が行うには身体的に負担が大きく、作業効率も悪いという問題ある。他方、シーツ交換作業を２人の看護師で行うことには人件費が嵩むという問題がある。
【０００３】
そこで、シーツの裏側の各コーナーの近辺に、弾性材からなる帯状体を隣接する二辺にまたがって斜めに取り付けた敷きシーツが提案されている。この敷きシーツは、弾性帯状体２を敷布団のコーナー部に弾性による伸びを利用してはめこむだけで、簡単にしかも弾力でしっかりと取り付けることができるというものである（特許文献１）。
【０００４】
また、平面視略長方形のタオル生地又は平織生地からなり、これらの生地の少なくとも長手方向の両端部に袋状の挿入部（６、１６）を形成し、これらの挿入部（６、１６）にマットレス、敷布団等の寝具の両端部を挿入することができ、更にこれらの生地が少なくとも長手方向に伸縮自在であるマットレス、敷布団等の寝具カバーが提案されている（特許文献２）。
【先行技術文献】
【特許文献】
【０００５】
【特許文献１】実願平５−９３７５号（実開平６−６１１７５号）のマイクロフィルム
【特許文献２】実用新案登録第３０２７２４１号公報
【発明の開示】
【発明が解決しようとする課題】
【０００６】
しかし、特許文献１に開示の敷きシーツは、四角形のシーツの各コーナーに設けた弾性材からなる帯状体に敷布団の長手方向両端に係着するものであり、特許文献２に開示の寝具カバーは、平面視略長方形の生地の少なくとも長手方向の両端部に形成した袋状の挿入部に、マットレスや敷布団の長手方向両端部を挿入するものであって、使用中最も皴の出来易い長手方向中間部分を確実に保持する構成にはなっていない。
このため、敷きシーツも寝具カバーも、使用中に長手方向中間部分が緩んで皺が出来易いという欠点、この皺のために使用者に褥瘡が発症するという欠点があるし、分割型マットレスには使用できないという欠点がある。
【０００７】
本発明は上述した従来技術の諸欠点に鑑み、本発明者が鋭意研究してなされたもので、伸縮性の布材と非伸縮性の布材を組み合わせることで、マットレスの挿脱作業を容易かつ迅速に出来るので作業性に優れており、しかもマットレスに長手方向中間部分も含めて緩みなく被装できるので、使用中に皴が寄ったり捲れたりすることも無く、褥瘡の発症を防止することができるカバー型シーツを提供することを目的とする。
【課題を解決するための手段】
【０００８】
上述した課題を解決するための本発明を構成する手段は、平面視で３６０度方向に伸縮性を有する布材からなるシーツ本体は、マットレスの上面を覆う上面覆い部と、該上面覆い部に続いて該マットレスの長手方向両端面を覆う端面覆い部と、前記上面覆い部に続いてマットレスの横幅方向側面を覆う側面覆い部と、該側面覆い部に続いてマットレスの下面縁部を覆う下面覆い部とを一体に成形したものからなり、緯糸と経糸を編成することにより非伸縮性を有する布材からなる４枚の押え布の各々は、前記緯糸又は経糸に平行な斜辺と、互いに直角に交わる一側辺及び他側辺とからなる直角三角形に成形したものからなり、前記マットレスの長手方向両端側の各角隅を覆う前記各一対の押え布は、先端側を互いに重畳した状態にし、かつ重畳部分は縫着しないで前記シーツ本体の端面覆い部に前記一側辺を縫着し、前記下面覆い部に他側辺を縫着することにより、内部にマットレス収納部を、下面側にマットレス挿脱口を形成し、かつ前記シーツ本体の長手方向に離間して前記一対の押え布を前記下面覆い部に縫着することにより、該下面覆い部の一部を伸縮可能にしたことにある。
【０００９】
そして、前記シーツ本体の長手方向に沿って下面覆い部に前記他側辺を縫着する前記一対の押え布は、先端を約１２〜１３ｃｍ離間させて配置するとよい。
【発明の効果】
【００１０】
本発明は上述の如く構成したから、下記の諸効果を奏する。
（１）カバー型シーツは、伸縮性の布材からなるシーツ本体と非伸縮性の布材からなる押え布で構成することにより、マットレスをしっかりと包み込むことができるから使用中に皺が寄ったり捲くれたりすることがないので、褥瘡の発症を可及的に防止することができる。
（２）マットレス挿脱口はシーツ本体の下面覆い部の一部が伸長して長さ方向に大きく拡大するように構成したから、マットレスの挿脱作業を容易に、速やかに行うことができ、多数枚のシーツの交換作業を行う施設での作業負担を軽減できるし、作業時間を大幅に短縮することができる。
（３）シーツ本体に下面覆い部を設けてマットレスの下面側を包むようにしたから、ギャッジベッドでマットレスを起立させた場合でも、シーツ本体が緩んで皺になることや、捲れてマットレスが露出する事態を防止できる。
（４）先端側を重畳した状態でシーツ本体の端面覆い部に一側辺を縫着する一対の押え布は、重畳部分は縫合しないことにより、マットレスを挿脱する際にマットレス挿脱口を幅方向に大きく拡大するので、マットレスの挿脱作業を容易かつ速やかに効率よく行うことができる。しかも、収容したマットレスを下面側から確実に押さえ込むことができる。
（５）一対の押え布は、シーツ本体の縦幅方向に略１２〜１３ｃｍ離間させて配設したから、マットレスの挿脱時にマットレス挿脱口は長手方向に拡開することで挿脱作業を容易かつ速やかに効率よく行うことができる。
【図面の簡単な説明】
【００１１】
【図１】本発明の実施の形態に係るカバー型シーツの外観斜視図である。
【図２】カバー型シーツの斜め上方からの透視斜視図である。
【図３】分割型マットレスに被装したカバー型シーツの下面斜視図である。
【図４】非伸縮性布材から押え布を裁断する場合の説明図である。
【図５】カバー型シーツに分割型マットレスを挿入している状態の説明図である。
【発明を実施するための形態】
【００１２】
以下、本発明の実施の形態を図面を参照しつつ詳述する。図において、１はカバー型シーツを示し、該カバー型シーツ１は例えば３個のブロック２２、２３、２４で構成する分割型マットレス２１（以下、マットレス２１と称する。）に被装して使用するもので、後述するシーツ本体２と、４枚の押え布３とにより内部にマットレス収容部１Ａを構成し、下面１Ｂに六角形のマットレス挿脱口１Ｃが形成してある。
【００１３】
２は該カバー型シーツ１を構成するシーツ本体を示す。該シーツ本体２は図１乃至図３に示すように、前記マットレス２１の横幅に対応できる横幅Ｗからなり、マットレス２１の図示しない上面２１Ａを覆う長方形の上面覆い部２Ａと、該上面覆い部２Ａに続いて長手方向両端側がマットレス２１の端面２１Ｂを覆う端面覆い部２Ｂ、２Ｂと、上面覆い部２Ａに続いてマットレス２１の横幅方向両側面２１Ｃを覆う側面覆い部２Ｃ、２Ｃと、該各側面覆い部２Ｃに続いてマットレス２１の下面縁部を覆う下面覆い部２Ｄとを一体に形成したものからになっている。
【００１４】
ここで、シーツ本体２は、平面視で３６０度の矢示イ方向に伸縮性を有する布材からなり、本実施の形態では伸縮性、軽量性、保温性、洗濯耐久性等に優れたダブルアトラストリコットを用いている。
【００１５】
３、３、・・はカバー型シーツ１を構成する４枚の押え布を示す。該各押え布３は図４に示すように、緯糸４Ａと経糸４Ｂを編成した非伸縮性の布材４を直角三角形に裁断して形成したものである。そして、各押え布３は斜辺３Ａを緯糸４Ａ（経糸４Ｂでも可。）と平行にすることで、斜辺３Ａは矢示ロ、ロ方向の長手方向に伸縮不能であり、また該斜辺３Ａに連結し、互いに直角に交わる他の一側辺（短辺）３Ｂと他側辺（長辺）３Ｃも実質的に伸縮不能である。なお、各図において、破線は縫着部を示す。
【００１６】
また、押え布３は、一側辺３Ｂの長さＬをシーツ本体２の横幅Ｗの半分以上の長さにすることで押え布３のサイズを大きくし、マットレス収容部１Ａに収容したマットレス２１を下面側から確実に押さえ込むようにしてある。
【００１７】
次に、シーツ本体２と４枚の押え布３、３、・・によるカバー型シーツ１の構成について説明する。シーツ本体２の端面覆い部２Ｂに各押え布３の一側辺３Ｂを縫着し、折込み部２Ｄに各押え布３の他側辺３Ｃを縫着してシーツ本体２の四隅に押え布３を配設することにより、シーツ本体２の下面側には４枚の押え布３、３、・・の斜辺３Ａと前記下面覆い部２Ｄとによって六角形のマットレス挿脱口１Ｃが形成してある。
【００１８】
しかも、シーツ本体２の端面覆い部２Ｂに一側辺３Ｂを縫着する一対の押え布３、３は、斜辺３Ａと一側辺３Ｂとにより挟まれる先端側３Ｄ、３Ｄが互いに重畳した状態になるが、互いに縫合しないことにより、マットレス挿脱口１Ｃが大きく開くようにしたから、マットレス２１の挿脱作業を容易に行うことができるし、かつ収納したマットレス２１を確実に押え込むことができるようになっている。
【００１９】
また、シーツ本体２の長さ方向に位置する一対の押え布３、３は、斜辺３Ａと他側辺３Ｃにより挟まれる先端３Ｅ、３Ｅを約１２〜１３ｃｍ離間させて他側辺３Ｃを下面覆い部２Ｄに縫着することにより、非伸縮性の押え布３の縫着により伸縮不能な下面覆い部２Ｄの一部を伸縮部２Ｅにしてある。この構成により、カバー型シーツ１の下面１Ｂに略六角形のマットレス挿脱口１Ｃが形成されている。そして、マットレス２１を挿脱する作業時には、伸縮部２Ｅが矢示イ、イ方向に約２０ｍ伸長し、一対の押え布３、３の先端３Ｅ、３Ｅ間が離間してマットレス挿脱口１Ｃが長手方向に拡開するので、挿脱作業を容易に行うことができ、マットレス２１を収容した後には伸縮部２Ｅは縮退することでマットレス２１を確実に保持することができる。
【００２０】
本発明において、シーツ本体２の上面覆い部２Ａ、端面覆い部２Ｂ、側面覆い部２Ｃ及び下面覆い部２Ｄは、１枚の布材で一体に形成してあるから、被装するマットレス２１の横幅に８４０ｍｍと９００ｍｍの違いがあっても対応することができる。
【００２１】
なお、本実施の形態では分割型マットレス２１を例に挙げたが、本発明のカバー型シーツは１枚のマットレスにも使用することができるものである。
【符号の説明】
【００２２】
１        カバー型シーツ
１Ａ      マットレス収容部
１Ｃ      マットレス挿脱口
２        シーツ本体
２Ａ      上面覆い部
２Ｂ      端面覆い部
２Ｃ      側面覆い部
２Ｄ      下面覆い部
２Ｅ      伸縮部
３        押え布
３Ａ      斜辺
３Ｂ      一側辺
３Ｃ      他側辺
４Ａ      緯糸